【誤訳訂正書】
【提出日】平成29年7月21日(2017.7.21)
【誤訳訂正１】
【訂正対象書類名】特許請求の範囲
【訂正対象項目名】全文
【訂正方法】変更
【訂正の内容】
【特許請求の範囲】
【請求項１】
下記のステップを含むことを特徴とするファン・モータ風量の検出法。
A）モータ・コントローラのマイクロプロセッサにM個の風量点CFMiに対応するM個の固定風量制御関数Qi=F(n)を確立する。その中、パラメータQがモータの入力電力でもモータの直流バス電流でもモータの出力モーメントでもよく、nがモータの回転数、iが1からMまでの整数である。
B）モータをONにして安定になってからモータのリアルタイム回転数n0及びパラメータQ0を検出し、パラメータQ0を前記の複数の風量点CFMiに対応する複数の固定風量制御関数Qi=F(n)に代入して複数の回転数niを取得し、リアルタイム回転数n0を複数の風量点CFMiと対応する複数の回転数niと比べて、リアルタイム検出風量CFM0が風量点CFMiとCFMi-1との間にあることを確定する。
C）所定の風量点CFMiとCFMi-1及び回転数niとni-1を利用して補間法によりリアルタイム検出風量CFM0を算出する。
【請求項２】
検出風量CFM0=CFMi+（CFMi-1-CFMi）×(ni-no)÷(ni-ni-1)であることを特徴とする請求項1に記載のファン・モータ風量の検出法。
【請求項３】
前記の関数Qi=F(n)は次の通りに得られるものであることを特徴とする請求項1又は2に記載のファン・モータ風量の検出法。実験データを採集し、空気回路機器で目安風量のM個に対して低静圧から高静圧までに調節する。この静圧が応用する実際の静圧領域をカバーリングできるようにしなければいけない。静圧調節中に、モータが固定回転数に制御され、モータ回転数n及びパラメータQを調節して風量を目安風量に保ち、その場合のモータの安定な回転数n及び対応するパラメータQを記録する。それにより、目安風量のM個に対して一連の回転数n及びパラメータQが発生する。次に、カーブフィッティングにより発生する目安風量のM個で目安風量ごとに関数Qi=F(n)に対応する。
【請求項４】
複数の風量点CFMiは最大の出力風量及び最小の出力風量を含むことを特徴とする請求項1又は2に記載のファン・モータ風量の検出法。
【請求項５】
Qi=F(n)は二次関数であり、各目安風量点に対応する関数Q=C１＋C２×ｎ＋C３×ｎ２であることを特徴とする請求項1又は2に記載のファン・モータ風量の検出法。
【請求項６】
前記のファン・モータはBLDCモータ又はECMモータを利用し、モータ本体及びモータ・コントローラを含み、前記のモータ本体はシャフト、永久磁石回転子アセンブリ、固定子アセンブリ及びキャビネットアセンブリを含み、永久磁石回転子アセンブリと固定子アセンブリにより磁気結合を形成し、固定子アセンブリが固定子コア及び固定子コア上のコイル巻線を含み、前記のモータ・コントローラマイクロプロセッサ、インバーター回路、動作回転数検出回路及びインバーター回路のある出力端を含み、コイル巻線に接続し、動作回転数検出回路により検出する信号をマイクロプロセッサに入力し、マイクロプロセッサの出力端によりインバーター回路を制御し、マイクロプロセッサに目安風量を入力、設定し、リアルタイム検出風量CFM0が設定目安風量の以下になると、警報信号を出力することを特徴とする請求項1又は2に記載のファン・モータ風量の検出法。
【請求項７】
ファン・モータが固定風量制御モデルで動作し、検出風量と設定風量とのずれが所定の値に達すると警報を行い、検出風量と設定風量のずれが許容領域にある場合、警報をしないことを特徴とする請求項6に記載のファン・モータ風量の検出法。
【請求項８】
ファン・モータが固定モーメント制御モデルで動作し、検出風量と設定風量とのずれが所定の値に達すると、空気フィールターの詰りとみなし、警報を行うことを特徴とする請求項6に記載のファン・モータ風量の検出法。
【請求項９】
ファン・モータが固定回転数制御モデルで動作し、検出風量と設定風量とのずれが所定の値に達すると、空気フィールターの詰りとみなし、警報を行うことを特徴とする請求項6に記載のファン・モータ風量の検出法。
【請求項１０】
M個の風量点が少なくとも5つあることを特徴とする請求項1又は2に記載のファン・モータ風量の検出法。
【誤訳訂正２】
【訂正対象書類名】明細書
【訂正対象項目名】全文
【訂正方法】変更
【訂正の内容】
【発明の詳細な説明】
【発明の名称】ファン・モータ風量の検出法
【技術分野】
【０００１】
本発明はファン・モータ風量の検出法に関する。
【背景技術】
【０００２】
近年以来、電器分野の日増しに激烈になっている競争に伴い、省エネ・エコ、高い制御可能性及び知能化程度、短い開発周期、低い騒音など製品に対する技術上の要求が高まっている。よって、中核的部材としてのモータは前記の技術課題の解決のための中核的部材となっている。従来の家用空調のためのモータに一般に効率低の低く、電力消費の多く、騒音も大きく、制御可能性知能程度の低い単相交流モータPSCを利用する。モータ技術の進歩に伴い、交流モータが直流モータに替えられるようになっている。直流モータはモータ・コントローラがあり、モータ・コントローラにより電流の電子方向転換に達成するので、ECMモータ（electronically commutated motor）又は直流ブラシレスモータ（BLDC MOTOR）と呼ばれ、省エネ・エコ、信頼可能性でも制御可能性でも高く、騒音が低く、知能化の達成が容易であることなどの特長があり、単相交流モータの不足を解決できるので、現状の空調のための単相交流モータが直流ブラシレスモータ又はECMモータに取り換えられるようになっている。
【０００３】
中国又はアジア他国で、空調は直流モータの制御盤が空調メインボードに接続されていて、接続信号のポートGND、ポートVDC、 ポートVCC、ポートVSP及びポートFGがある。このようなインタフェースが大体に標準的インタフェースとなり、空調メインボードが出力電圧ポートVSPにより直流モータ制御盤に目安回転数を入力し、モータがポートFGによりモータの実績回転数をフィードバックして直流モータの閉ループ回転数制御に達成する。空調の空気入出口のフィールター又は空気回路が詰められた場合、空調の出口からの風量が少なくなり、空調の冷却又は暖房の効果に影響を及ぼす。それは空調システムとして望まれないものである。よって、従来のBLDCモータにおいて固定風量又は風量モニターリング/警報機能に達成することは必要である。
【０００４】
現状の対策として、空気出口又は空気回路に風圧計を設置して風量を判断したり、風量計を設置して風量を検出したりするが、それにより別途にハードウェアを追加することが必要であり、取付や配線がトラブルにつながり、別途のコストアップとなる。
【発明の概要】
【発明が解決しようとする課題】
【０００５】
本発明は正確に空気フィールターの詰りを判断し、信号出力により警報を行い、数学モデルが簡単であり、制御が信頼可能であり、精度が高いファン・モータの風量に関する検出法を提供することを目的にする。
【課題を解決するための手段】
【０００６】
本発明は目的が下記の技術案により達成するものである。
【０００７】
下記のステップを含むことを特徴とするファン・モータ風量の検出法。
【０００８】
A）モータ・コントローラのマイクロプロセッサにM個の風量点CFMiに対応するM個の固定風量制御関数Qi=F(n)を確立する。その中、パラメータQがモータの入力電力でもモータの直流バス電流でもモータの出力モーメントでもよく、nがモータの回転数、iが1からMまでの整数である。
【０００９】
B）モータをONにして、安定になってからモータのリアルタイム回転数n0及びパラメータQ0を検出し、パラメータQ0を前記の複数の風量点CFMiに対応する複数の固定風量制御関数Qi=F(n)に代入して複数の回転数niを取得し、リアルタイム回転数n0を複数の風量点CFMiと対応する複数の回転数niと比べて、リアルタイム検出風量CFM0が風量点CFMiとCFMi-1との間にあることを確定する。
【００１０】
C）所定の風量点CFMiとCFMi-1及び回転数niとni-1を利用して補間法によりリアルタイム検出風量CFM0を算出する。
【００１１】
検出風量CFM0=CFMi+（CFMi-1-CFMi）×(ni-no)÷(ni-ni-1)
【００１２】
前記の関数Qi=F(n)は次の通りに得られるものである。実験データを採集し、空気回路機器で目安風量のM個に対して低静圧から高静圧までに調節する。この静圧が応用する実際の静圧領域をカバーリングできるようにしなければいけない。静圧調節中に、モータが固定回転数に制御され、モータ回転数n及びパラメータQを調節して風量を目安風量に保ち、その場合のモータの安定な回転数n及び対応するパラメータQを記録する。それにより、目安風量のM個に対して一連の回転数n及びパラメータQが発生する。次に、カーブフィッティングにより発生する目安風量のM個で目安風量ごとに関数Qi=F(n)に対応する。
【００１３】
前記の複数の風量点CFMiは最大の出力風量及び最小の出力風量を含む。
【００１４】
前記のQi=F(n)は二次関数であり、各目安風量点に対応する関数がQ=C１＋C２×ｎ＋C３×ｎ２である。
【００１５】
前記のファン・モータはBLDCモータ又はECMモータを利用し、モータ本体及びモータ・コントローラを含む。前記のモータ本体はシャフト、永久磁石回転子アセンブリ、固定子アセンブリ及びキャビネットアセンブリを含み、永久磁石回転子アセンブリと固定子アセンブリにより磁気結合を形成し、固定子アセンブリが固定子コア及び固定子コア上のコイル巻線を含む。前記のモータ・コントローラマイクロプロセッサ、インバーター回路、動作回転数検出回路及びインバーター回路のある出力端を含み、コイル巻線に接続し、動作回転数検出回路により検出する信号をマイクロプロセッサに入力し、 マイクロプロセッサの出力端によりインバーター回路を制御し、マイクロプロセッサに目安風量を入力、設定し、リアルタイム検出風量CFM0が設定目安風量の以下になると、警報信号を出力する。
【００１６】
前記のファン・モータが固定風量制御モデルで動作し、マイクロプロセッサにより実績電力が定格電力に達しているかと検出し、実績電力が定格電力に達していて、検出風量と設定風量のずれが所定の値になると警報を行うが、検出風量と設定風量のずれが許容領域にある場合、警報をしない。
【００１７】
前記のファン・モータが固定モーメント制御モデルで動作し、検出風量と設定風量とのずれが所定の値に達すると、空気フィールターの詰りとみなし、警報を行う。
【００１８】
前記のファン・モータが固定回転数制御モデルで動作し、検出風量と設定風量とのずれが所定の値に達すると、空気フィールターの詰りとみなし、警報を行う。
【発明の効果】
【００１９】
従来の技術と比べて、本発明は次の効果がある。
【００２０】
１）本発明はモータ・コントローラのマイクロプロセッサにM個の風量点CFMiに対応するM個の固定風量制御関数Qi=F(n)を確立し、モータのリアルタイム回転数n0及びパラメータQ0を検出し、パラメータQ0を前記の複数の風量点CFMiに対応する複数の固定風量制御関数Qi=F(n)に代入して複数の回転数niを取得し、リアルタイム回転数n0を複数の風量点CFMiと対応する複数の回転数niと比べて、リアルタイム検出風量CFM0が風量点CFMiとCFMi-1との間にあることを確定し、利用補間法によりリアルタイム検出風量CFM0を算出し、数学モデルが簡単であり、制御が信頼可能であり、精確度が高い。
【００２１】
２）ファン・モータを風量検出のための部材にし、検出風量Q1と設定風量Q0とのずれが所定の値に達すると、空気フィールターの詰りとみなし、警報信号を出力し、いかなるハードウェアの追加も不要であり、取付が簡単であり、コストが安い。
【００２２】
ファン・モータが固定風量の制御モデルで動作し、マイクロプロセッサが実績電力が定格電力に達しているかと検出し、実績電力が定格電力に達している場合に検出風量Q1と設定風量Q0とのずれを判断し、方案が簡単であり、マイクロプロセッサの演算量が少なく、実行可能性が高い。
【００２３】
前記の関数Qi=F(n)は次の通りに得られるものである。実験データを採集し、空気回路機器で目安風量のM個に対して低静圧から高静圧までに調節する。この静圧が応用する実際の静圧領域をカバーリングできるようにしなければいけない。静圧調節中に、モータが固定回転数に制御され、モータ回転数n及びパラメータQを調節して風量を目安風量に保ち、その場合のモータの安定な回転数n及び対応するパラメータQを記録する。それにより、目安風量のM個に対して一連の回転数n及びパラメータQが発生する。次に、カーブフィッティングにより発生する目安風量のM個で目安風量ごとに関数Qi=F(n)に対応し、前記のM個の風量点が少なくとも5つあるので、効果的に検出の精度を保証できる。
【図面の簡単な説明】
【００２４】
【図１】従来の空調ファンシステムの構成図
【図２】本発明によるファン・モータの取付図
【図３】本発明によるファン・モータの立体図
【図４】本発明によるファン・モータのモータ・コントローラの立体図
【図５】本発明によるファン・モータの断面図
【図６】本発明によるファン・モータのモータ・コントローラの実施回路ブロック図
【図７】図6に対応する回路図
【図８】本発明によるファン・モータの固定風量制御法の制御プロセスチャート
【図９】本発明によるファン・モータに関する実験による固定風量のフィッティンググラフ
【図１０】本発明による1/3HPのファン・モータの直接電力による固定風量制御の実験データフィッティンググラフ
【図１１】本発明によるファン・モータについて補間法により任意の入力風量実験データを求めるためのフィッティンググラフ
【図１２】本発明によるファン・モータの固定風量制御法の制御論理図
【図１３】本発明によるファン・モータの固定風量制御法の制御プロセスチャート
【図１４】本発明によるファン・モータの固定風量制御法の他の制御プロセスチャート
【図１５】本発明によるファン・モータの固定風量制御法の実験に検証されたテスト結果図
【図１６】本発明によるファン・モータの風量の計算図
【発明を実施するための形態】
【００２５】
次に、実施例と図により本発明について詳細に説明する。
【実施例１】
【００２６】
次に、本発明に関するファン・モータの回路の構成及び風量検出の制御原理を示す。
【００２７】
図1の通りに、本発明では、代表的な空調通風管路（「空気回路」と略す）に送風システム（ガスストーブ又は空気処理装置など）を設置する。図の中で「モータ+風力輪」でその送風システムを表す。管路に空気フィールターもあり、モータがONすると送風が開始する。空気出口と空気入口の数量が室数に関わり、管路の設計に関する統一的規格がなく、空気フィールターに異なる電圧降下もあるので、従来の単相交流モータ・PSCモータの送風システムを異なる管路に搭載する場合、実績風量が違う。本発明では、ファン・モータがBLDCモータ又はECMモータである。
【００２８】
図2の通りに、1）製品が空調システムコントローラにより制御され、空調システムコントローラによりすべての製品を制御し、操作装置及びカスタマイズのインタフェースの周囲回路及びプロトコルにより設置情報をモータ・コントローラに送信する。2）モータ・コントローラはマイクロプロセッサーシングルチップマイクロコンピュータ又はDSP電子パネルによりモータ制御を行い、コントローラの各回路に電力を提供する電源部があり、電源について直流バス電圧及び電流を設置する。よって、モータの制御により出力を行う。普通、安いコスト及び量産のモータ・コントローラでは、電流及び電圧センサハードウェアとして並列抵抗回路を利用し、システムのフィードバックとしてモータの駆動を制御し、モータ制御を行う。例えば、ベクトル制御、直接トルク制御、及び他のセンサ又はノンセンサ制御など。周知の通りに、すべての電子アセンブリに動作期間の変化があり、それらの変化が検出の精度及び耐久性に影響を及ぼす。3）ファン・モータは回転子に磁石及び構成があり、固定子側又は溝に多相巻き線がある。温度変化の場合、永久磁石及び巻き線の抵抗が変化するので、モータ制御の異なる変化につながる。普通、モータの製造プロセスにも決まった程度の変化が発生し、モータの劣化、新しいモータと中古モータ、貢献の因素制御の正確性及び耐久性など、永久磁石のモータの磁束が温度の変化により消磁などを引き起こすことがある。また、モータシャフト失効のおそれ、システムの安全性、及び検出又はリアルタイムモニターリング。4）ブロワー：ブロワーはモータシャフトに取り付けられ、回転による気流が所定の速度で送風し、取付位置が操作に影響を及ぼしたり、摩擦抵抗を向上させたりすることがあり、少ない気流量ないし誤った回転方向につながる。5）空気フィールター：空気フィールターに関する定期交換及び修理が必要である。長い期間にトレーシングをしなければ、摩擦抵抗が向上し、気流圧力に影響を及ぼすことがある。6）管路制御：ほこり及び管路破壊が管路システムの区域制御及びON/OFFポートシステムの圧力変化につながる。前記の場合、固定風量制御を行うと多くの不安定につながる。
【００２９】
図3、図4及び図5の通りに、普通、ファン・モータがモータ・コントローラ2及びモータ本体1からなり、前記のモータ本体1が固定子アセンブリ12、回転子アセンブリ13及びキャビネットアセンブリ11を含み、固定子アセンブリ12がキャビネットアセンブリ11に取り付けられ、モータ本体1に回転子の位置の検出のためのホールセンサ14が取り付けられ、回転子アセンブリ13が固定子アセンブリ12の内側又は外側にあり、モータ・コントローラ2が制御盤22及び制御盤22に取り付けられた制御基板21を含み、制御基板21が一般に電源回路、マイクロプロセッサ、バス電流検出回路、インバーター回路及び回転子位置検出回路14（即ちホールセンサ）を含み、電源回路が各回路に給電し、回転子位置検出回路が回転子の位置信号を検出し、マイクロプロセッサに入力し、バス電流検出回路が検出したバス回路をマイクロプロセッサに入力し、バス電圧検出回路が直流バス電圧をマイクロプロセッサに入力し、マイクロプロセッサがインバーター回路を制御し、インバーター回路が固定子アセンブリ12の各相コイル巻線の電力のON・OFFを制御する。
【００３０】
図6、図7の通りに、ファン・モータが3相ブラシレス直流永磁同期モータである場合、回転子位置検出回路14に一般にホールセンサの3つを利用し、ホールセンサの3つがそれぞれ360度の電気角周期の回転子位置を検出し、120度電気角を回転するごとに固定子アセンブリ12の各相コイル巻線の通電を１回に変え、3相6歩の制御モデルを形成する。交流入力（AC INPUT）はダイオードD7、D8、D9及びD10からなる全波整流回路を経て、コンデンサC1の一端で直流バス電圧Vbusを出力する。直流バス電圧Vbusが入力交流・電圧に関わる。交流入力（AC INPUT）の電圧が確定されてから、3相巻き線の線間電圧UPがPWMチョッパーの出力電圧である。その中、UP=Vbus*w、wがマイクロプロセッサによりインバーター回路に入力するPWM信号のデューティサイクルであり、線間電圧UPを変えると、直流バス電流Ibusを変えることができる。インバーター回路は電子スイッチQ1、Q2、Q3、Q4、Q5及びQ6からなり、電子スイッチQ1、Q2、Q3、Q4、Q5及びQ6の制御端がそれぞれマイクロプロセッサに出力される6回のPWM信号（P1、P2、P3、P4、P5及びP6)に制御され、インバーター回路にバス電流Ibusの検出のための抵抗R1が接続されていて、バス電流検出回路が抵抗R1の検出バス電流Ibusを転換してからマイクロプロセッサに送る。モータ入力電力は電子スイッチQ7に制御され、マイクロプロセッサに出力される1回路のPWM信号（P0）が電子スイッチQ7の導通時間を制御してモータの入力電力を制御する。
【００３１】
図8の通りに、前記のファン・モータが風力輪を駆動し、固定子アセンブリ、永久磁石回転子アセンブリ及びモータ・コントローラを有し、前記のモータ・コントローラにマイクロプロセッサ、インバーター回路、回転子位置検出回路、バス電流検出回路、バス電圧検出回路及びモータ入力電力制御回路（図に表示無し）があり、回転子位置検出回路が回転子位置の信号を検出し、マイクロプロセッサ、マイクロプロセッサに入力して回転子位置の信号によりモータのリアルタイム回転数nを算出し、バス電流検出回路がバス電流をマイクロプロセッサに、バス電圧検出回路が直流バス電圧をマイクロプロセッサに入力し、マイクロプロセッサがインバーター回路、インバーター回路が固定子アセンブリの各相コイル巻線の電力の投入・遮断、マイクロプロセッサがモータ入力電力制御回路を制御し、下記のステップを含むことを特徴とする空調システムにおけるファン・モータの直接電力に制御される固定風量の制御法。
【００３２】
ステップA）モータ・コントローラをONし、目安風量のIN-CFMを受信、プリセットする。
【００３３】
ステップB）目安風量IN-CFMにより対応する関数P= f(n)を取得する。その中、nが回転数、Pがモータの入力電力である。
【００３４】
ステップC）直接電力制御・固定風量制御のモデルに入る。制御モータ又はモータ速度が零である場合にモータをON にして、モータが関数P=f(n)の制御軌跡に沿って安定な動作点（pt、nt）に達するようにする。その中、pt、ntは固定風量制御関数P=f(n)に満たす軌跡にある入力電力及び回転数である。
【００３５】
ステップD）直接電力制御・固定風量制御のモデルを保つ。モータの動作回転数によりモータリアルタイム入力電力Piを算出し、
2017500470.tif 000001
を計算する。
【００３６】
ステップE）電力増加値ΔP＜設定値Psetである場合、現状動作点を保つ。
【００３７】
ステップF）電力増加値ΔP≧設定値Psetである場合、電力/回転数制御論理により速度ループの操作時間となっているかと計算する。速度ループの操作時間となっていない場合、現状動作点を保つ。
【００３８】
ステップG）速度ループの操作時間となっている場合、速度制御回路に入って
2017500470.tif 000002
により速度を調節する。niがリアルタイム回転数である。軌跡上の新規動作点（Pi、ni)に達する。即ち、Pt=Pi、nt=niとなるようにして、ステップCに戻す。
【００３９】
前記の前記の関数P=f(n)は次の通りに得られるものである。実験データを採集し、複数の目安風量に対して低静圧から高静圧までに調節する。この静圧が応用する実際の静圧領域をカバーリングできるようにしなければいけない。静圧調節中に、モータが固定回転数に制御され、モータ回転数n及びモータリアルタイム入力電力Piを調節して風量を目安風量に保ち、この場合のモータ安定回転数n及び対応するモータリアルタイム入力電力Piを記録する。それにより、複数の目安風量に対して回転数n及びモータリアルタイム入力電力Piが発生する。次に、カーブフィッティングにより複数の目安風量が発生する。その目安風量で目安風量ごとに関数P=f(n)の1つに対応する。
【００４０】
上記の外部入力目安風量IN-CFMのすべてが前記の検出した複数の目安風量のどれにも当たらない場合、補間法により、外部入力目安風量IN-CFMに対応する関数P=f(n)に関する補間計算を行う。それにより全過程の任意の目安風量の固定風量制御に達成する。
【００４１】
前記の関数関係式P=f(n)は多項式関数のP=C１＋C２×ｎ＋…＋Cｍ×ｎｍ−１である。その中、C１、C２、…、Cｍが係数、nがモータ回転数である。目安風量ごとに一連のC１、C２、…、Cｍ係数に対応して記憶され、マイクロプロセッサが入力する目安風量IN-CFMによりルックアップテーブル又は補間法により対応する一連のC１、C２、…、Cｍ係数を取得して、関数関係式P=f(n)を取得する。
【００４２】
前記の関数関係式P=f(n)は二次関数P=C１＋C２×ｎ＋C３×ｎ２である。
【００４３】
本発明の直接電力による固定風量制御の制御法（Direct P Control for Constant Airflow Control Apparatus Method）は開発及び数学モデルの確立が次のとおりである。普通、通風システムにおいて、ファンがファン・モータに駆動されて安定な状態で気流が発生する。固定の風量制御は静的圧力条件での速度及び電力制御により達成する。関係式CFM =F(P、speed、pressure)の中、CFMは風量、Pは電力、 speedは速度、pressureは静圧を示す。静的圧力が変化する場合、電力及び速度で当該固定風量を制御、維持する。電力と速度が静的圧力の向上に伴って変化する。図9の通りに、固定風量CFM曲線は検出できる。それらの固定風量CFM曲線に基づいて制御モデルを開発する。製品の制御により風量の需要を確定し、電力及び速度を制御して所定の静的圧力で固定風量CFMを提供する。図9において、特性曲線は制御電力及び速度を保つ固定風量の物理特性を示す。すべてのモータの定格電力において、すべての区分の設計の気流システムの空調メーカに対して、電力のテスト結果及び速度曲線に基づいて次の通りに結論を得ることができる。即ち、代表的な二次関数が見事に用代表的な関数であるP=C１＋C２×ｎ＋C３×ｎ２の開発モデリングに用いられることができる。曲線で未定点（A、B及びC）の3つを選択し、それに対応する座標におけるデータが（p1、n1）、(p2、n2)、(p3、n3)である。下式の通りに係数C1、C2、C3を取得する。
2017500470.tif 000003
∂F/∂A=0、∂F/∂B=0、及び∂F/∂C=0
式によると、m=3となる。
【００４４】
カーブフィッティングの過程は多項式記述曲線に対する選択である。多項式の係数は最小二乗法により求める。理論上P=C１＋C２×ｎ＋C３×ｎ２＋…＋Cｍ×ｎｍ−１を用いることができるが、実際に二項式を選択して普通の需要に満たすことができる。関数関係式P=f(n)はP=C１＋C２×ｎ＋C３×ｎ２二次関数である。その中、C１、C２及びC３が係数、nがモータの回転数である。テストされる複数の目安風量で目安風量のすべてが一連の係数C１、C２及びC３に対応し、記憶される。マイクロプロセッサは入力する目安風量IN-CFMに基づき、ルックアップテーブルにより対応する一連の係数C１、C２及びC３を取得して関数関係式P=f(n)を得られる。表1の通りに、ある荷重において、目安風量ごとに一連の係数C１、C２及びC３に対応する。
【表１】
2017500470.tif 000004
【００４５】
図10は1/3HPのファン・モータが小型管路の空調システムにおける直接電力による固定風量制御の実験データのフィッティンググラフである。所定の目標気流に対して、システムでは選択されたいくつかの代表的な風量CFMをテスト点に選択して数学モデルを確立するためのデータ・ベースを確立する。それらの代表的な点は最小及び最大の風量を含み、一部の中央点を加える。製品仕様により、テスト点として代表的な風量CFMが150 / 300 / 450 / 600及び750CFMである。
【００４６】
表2はテストデータの結果を示す例である。モータの回転数は領域が200〜1400rpm、システムの静的圧力が0.1〜1Ｈ２Ｏにある。プリセット固定風量CCFM出力を保ち、図10に対応するモータ入力電力の単位当りの値を取得してデータ・ベースを形成する。
【表２】
2017500470.tif 000005
【００４７】
最小二乗法を利用し、各予定CFM風量が電力及び回転数の二次関数に対応し、標準的計算法によりそれらの式による電力及び所定の静的圧力によるすべてのシステムの動作点における速度を得られる。設定風量IN-CFMプリセットを入力すると、モータシステムがそれに対応する関数に定義を与え、その動作点の軌跡について関数の定義を守る。式（3）〜（7）は標準式で表すことができる。その中、C1、C2及びC3が定数である。
2017500470.tif 000006
【００４８】
即ち、P=C１＋C２×ｎ＋C３×ｎ２となり、式（3）〜（7）モデリング曲線が固定風量CFMに必要な5つの選択動作点の軌跡を提供し、Powerが電力、nが回転数である。
【００４９】
図11の通りに、求める固定風量IN-CFMがモデリング曲線のいずれかではない場合、補間法により新しい特性式を得て求める固定風量IN-CFMを補間する。例えば、求める固定風量IN-CFM=525cfmの要求が受けられる場合、隣り合う曲線CFM1-600cfm及びCFM2-450cfmのモデリングが認識できる。次に、  該当する式の2式がIN-CFM=525cfm曲線の算出のための新規式に用いられる。求めるIN-CFM=525cfm及び選択する速度ω1、ω2、ω3によりそれらの速度を確定し、電力値を算出する。モデル曲線の2本に対応する式に対する2重電力点で選択する速度を利用して、線形加重補間を行ってP値を算出できる。先ず、下記の通りにマトリックス・データを示す。
2017500470.tif 000007
【００５０】
1組の電力点
2017500470.tif 000008
が選択する速度ωと対応し、選択する速度ω1、ω2及びω3が3組の電力点
2017500470.tif 000009
と対応し、 線形加重補間によりPi値を算出する。
2017500470.tif 000010
【００５１】
重み値Wは次の式により算出する。
2017500470.tif 000011
【００５２】
注：CFM2≦IN-CFM≦CFM1、0≦W≦1。下記のマトリックス式によると、
2017500470.tif 000012
【００５３】
それによりに対応するIN-CFM=525cfmの関数P=C１＋C２×ｎ＋C３×ｎ２が得られる。このマトリックス式を解決すると、係数C1、C2、C3に対して計算できる。よって、すべての需要入力風量IN-CFMについて電力式を得られる。この過程がモータ・コントローラにおけるマイクロプロセッサ-シングルチップマイクロコンピュータにおいて初期化されるので、電力の算出にあまりリアルタイムのCPU資源を消費しない。
【００５４】
よって、本直接電力制御DPC（Direct Power Control)は回転数制御により電力制御に達成する。電力/回転数制御論理は機能が電力/回転数回路時間定数を協調してシステムの安定性を保証することにある。制御についてモータ制御の精確な制御とトルク制御を比較できる。スカラー量又はベクトルの制御を問わず、速度制御は制御精度の向上でトルク制御より更に効果的である。
【００５５】
DPC制御は独特な電力及びファンの荷重速度の特性により速度制御を行うことであり、モータが零回転数から高い回転数まで回転し、電力もそれによりゼロから大きくなる。図13の通りに、モータの回転数は静的圧力点である1組の動作点A（電力、速度）に達するまで向上する。静的圧力が突然的に大きくなる場合、速度制御モデルで、モータが更に多く電力（又は更に大きなトルク）を提供して速度を保つ。高い静圧力にとても大きな電力が必要であるので、電力が突然的に更に高く向上する。モータシステムが同じ速度で新しい動作点Bに達する場合、この計算方法によりそれが固定のCFM軌跡曲線動作点にあるかと判別し、1組の電力/速度点Cを確定できる。但し、点Cが安定な動作点ではないので、高い電力の要求に応じて点Dへ行き、新しい安定な動作点の点Gに収束するまで繰り返す。
【００５６】
実施の場合、電力のバラツキを少なくすることができ、突然的に変化する場合、受限制される電力により制御を増加する。図14において、増加電力がΔPに指定されてもいい。電力変化が当該電力増加ΔPを超えた次第に、速度制御が行われる。このような方式において、すべての動作点が固定風量CFM軌跡曲線の正負帯域幅に対応して動作する。静圧変化推移中に風量制御システムが安定である。
【００５７】
図15の通りに、前記のモータ直接電力制御の固定風量制御法及び算出法について本発明のファン・モータ・コントローラで試験を行い、すべてのシステム性能が図15の要求に満たすものである。
【００５８】
図12はファン・モータスカラー量制御応用における本算出法の論理ブロック図であり、入力電力が直流バス電圧及び電流により算出され、電力及び回転数が最大電力Pmax、及び回転数nmaxに限られる。
【００５９】
フィードバックされた直流バス電流/電圧によりモータのリアルタイム入力電力値Piを算出すると、外部から入力する風量のIN-CFMと電力/速度のデータとの整合によりモータの入力電力の計算値Ptを得られる。モータの入力電力の計算値Ptとモータリアルタイム電力の電力Piを比べて電力差ΔPを得られ、電力差ΔPが制限され、大きすぎた電力差ΔPを避け、大きすぎた電力バラツキを調節する。電力差ΔPが電力/速度により論理電力を制御し、速度ループの制御を行い、インバータPWMにより回転数の制御を行う。スカラー量制御を行い、即ち、リアルタイムバス電流Ｉbus及びリアルタイムバス電圧によりモータのリアルタイム入力電力P＝Ｉbus×Ｖbusを算出する。
【００６０】
ファン・モータの風量検出の原理を下記に示す。
【００６１】
前記の理論分析によると、図10は小型管路の空調システムにおける1 / 3HPのファン・モータの直接電力による固定風量制御の実験データフィッティンググラフであり、風量CFMがテスト点として5つあり、それぞれ150 、300 、450 、600及び750CFMであり、式（3）〜（7）を得られ、 表2にテストデータの結果例を示す。モータの回転数の領域が200〜1400 rpm、システムの静的圧力が0.1〜1Ｈ２Ｏにあり、プリセット固定風量CCFMの出力を保ち、図10に対応するモータ入力電力の単位当たりの値を得て、前記の5つの動作点ではない風量データのいずれかを記述、入力する。例えば、IN-CFM=525cfmの関数P=C１＋C２×ｎ＋C３×ｎ２を得られる。マトリックス式を解決し、C1、C2、C3係数を算出できる。よって、必要なすべての入力風量IN-CFMについて電力式を得られる。即ち、入力されるすべての目安風量について当該目安風量に対応する固定風量制御の関数P=C１＋C２×ｎ＋C３×ｎ２を得られる。
【００６２】
前記の原理により反対方向の推理を行うと、モータが安定に動作する場合、モータの現在のリアルタイム電力Po及び回転数noを検出する。図16の通りに、その点M(（Po、no)により、その点（Po、no)が固定風量に制御される曲線CFM0にあると推算でき、その点M（Po、no)に対応する風量を算出できる。その推論過程は次のとおりである。
【００６３】
それが既知の風量曲線の2本の間にある。P0を式（3）〜（7）に代入して、5種の風量に対応する回転数n(150)、 n(300)、n(450)、n(600)及びn(750)を得られ、回転数の比較により回転数noが既知の固定風量曲線の2本の間にあると判断する。その点M（Po、no)が固定風量曲線CFM1とCFM2との間にあるとすると、入力電力＝Poである場合、固定風量曲線CFM1及びCFM2に対応する回転数がそれぞれn1、n2であり、その点M（Po、no)の固定風量CFM0=CFM2+(CFM1-CFM2)×(n2-no)÷(n2-n1)である。その中、CFM1、CFM2は風量150、 n(300)、450、600、750のいずれかである。前記の推論によると、モータのリアルタイム電力Po及び回転数noが既知である場合、空調システムの電力を取得するための風量CFM0を取得できる。検出風量と設定風量との偏差が所定の値に達する場合、空気フィールターの詰りとみなし、警報信号を出力する。
【実施例２】
【００６４】
下記のステップを含むことを特徴とするファン・モータ風量の検出法。
【００６５】
A）モータ・コントローラのマイクロプロセッサにM個の風量点CFMiに対応するM個の固定風量制御関数Qi=F(n)を確立する。その中、Qが直流バス電流回転数、nがモータの回転数、iが1からMまでの整数である。
【００６６】
B）モータをONにして安定になってからモータのリアルタイム回転数n0及びパラメータQ0を検出し、パラメータQ0を前記の複数の風量点CFMiに対応する複数の固定風量制御関数Qi=F(n)に代入して複数の回転数niを取得し、リアルタイム回転数n0を複数の風量点CFMiと対応する複数の回転数niと比べて、リアルタイム検出風量CFM0が風量点CFMiとCFMi-1との間にあることを確定する。
【００６７】
C）所定の風量点CFMiとCFMi-1及び回転数niとni-1補間法によりリアルタイム検出風量CFM0を算出する。
【００６８】
検出風量CFM0=CFMi+（CFMi-1-CFMi）×(ni-no)÷(ni-ni-1)。
【００６９】
前記の関数Qi=F(n)は次の通りに得られるものである。実験データを採集し、空気回路機器で目安風量のM個に対して低静圧から高静圧までに調節する。この静圧が応用する実際の静圧領域をカバーリングできるようにしなければいけない。静圧調節中に、モータが固定回転数に制御され、モータ回転数n及び直流バス電流Q風量を調節して目安風量に保ち、この場合のモータ安定回転数n及び対応する直流バス電流Qを記録する。それにより、目安風量のM個に対して一連の回転数n及び直流バス電流Qが生じる。次に、カーブフィッティングにより発生する目安風量のM個で目安風量ごとに関数Qi=F(n)に対応する。
【００７０】
ファン・モータが固定回転数制御モデルで動作し、検出風量と設定風量とのずれが所定の値に達すると、空気フィールターの詰りとみなし、警報を行う。リアルタイム検出風量CFM0の算出精度を保証するために、風量点のM個を少なくとも5つにしなければいけない。
【実施例３】
【００７１】
下記のステップを含むことを特徴とするファン・モータ風量の検出法。
【００７２】
A）モータ・コントローラのマイクロプロセッサにM個の風量点CFMiに対応するM個の固定風量制御関数Qi=F(n)を確立する。その中、Qがモータの出力モーメント、nがモータの回転数、iが1からMまでの整数である。
【００７３】
B）モータをONにして安定になってからモータのリアルタイム回転数n0及びパラメータQ0を検出し、パラメータQ0を前記の複数の風量点CFMiに対応する複数の固定風量制御関数Qi=F(n)に代入して複数の回転数niを取得し、リアルタイム回転数n0を複数の風量点CFMiと対応する複数の回転数niと比べて、リアルタイム検出風量CFM0が風量点CFMiとCFMi-1との間にあることを確定する。
【００７４】
C）所定の風量点CFMiとCFMi-1及び回転数niとni-1補間法によりリアルタイム検出風量CFM0を算出する。
【００７５】
検出風量CFM0=CFMi+（CFMi-1-CFMi）×(ni-no)÷(ni-ni-1)。
【００７６】
前記の関数Qi=F(n)は次の通りに得られるものである。実験データを採集し、空気回路機器で目安風量のM個に対して低静圧から高静圧までに調節する。この静圧が応用する実際の静圧領域をカバーリングできるようにしなければいけない。静圧調節中に、モータが固定回転数に制御され、モータ回転数n及びモータの出力モーメントQ風量をを調節して目安風量に保ち、この場合のモータ安定回転数n及び対応するモータの出力モーメントQを記録する。それにより、目安風量のM個に対して一連の回転数n及びモータの出力モーメントQが生じる。次に、カーブフィッティングにより発生する目安風量のM個で目安風量ごとに関数Qi=F(n)に対応する。モータの出力モーメントQとモータの動作電流と正比例となるので、モータの動作電流を検出してモータの出力モーメントQを算出できる。
【００７７】
ファン・モータが固定モーメント制御モデルで動作し、検出風量と設定風量とのずれが所定の値に達すると、空気フィールターの詰りとみなし、警報を行う。リアルタイム検出風量CFM0の算出精度を保証するために、風量点のM個を少なくとも5つにしなければいけない。
【符号の説明】
【００７８】
１・・・モータ本体
２・・・モータ・コントローラ
１１・・・キャビネットアセンブリ
１２・・・固定子アセンブリ
１３・・・回転子アセンブリ
１４・・・ホールセンサ（回転子位置検出回路）
２１・・・制御基板
２２・・・制御盤
【誤訳訂正３】
【訂正対象書類名】図面
【訂正対象項目名】図７
【訂正方法】変更
【訂正の内容】
【図７】
2017500470.tif 000013
【誤訳訂正４】
【訂正対象書類名】図面
【訂正対象項目名】図８
【訂正方法】変更
【訂正の内容】
【図８】
2017500470.tif 000014
【誤訳訂正５】
【訂正対象書類名】図面
【訂正対象項目名】図９
【訂正方法】変更
【訂正の内容】
【図９】
2017500470.tif 000015
【誤訳訂正６】
【訂正対象書類名】図面
【訂正対象項目名】図１０
【訂正方法】変更
【訂正の内容】
【図１０】
2017500470.tif 000016
【誤訳訂正７】
【訂正対象書類名】図面
【訂正対象項目名】図１１
【訂正方法】変更
【訂正の内容】
【図１１】
2017500470.tif 000017
【誤訳訂正８】
【訂正対象書類名】図面
【訂正対象項目名】図１２
【訂正方法】変更
【訂正の内容】
【図１２】
2017500470.tif 000018
【誤訳訂正９】
【訂正対象書類名】図面
【訂正対象項目名】図１３
【訂正方法】変更
【訂正の内容】
【図１３】
2017500470.tif 000019
【誤訳訂正１０】
【訂正対象書類名】図面
【訂正対象項目名】図１４
【訂正方法】変更
【訂正の内容】
【図１４】
2017500470.tif 000020
【誤訳訂正１１】
【訂正対象書類名】図面
【訂正対象項目名】図１６
【訂正方法】変更
【訂正の内容】
【図１６】
2017500470.tif 000021